(57)【要約】【課題】この発明は、個別に交換することが難しい点、個別に動作させることが難しい点、所望により有る部分のみを開口させること若しくは抜くことが難しい点等の問題点を解決することのできる開口部開閉装置を提供する。【解決手段】本発明に係る遮蔽装置は、所望部位の両側に配置されるガイドレールと、該ガイドレールに沿って移動し、前記所望部位を遮蔽する複数の遮蔽プレートと、前記ガイドレールの一端に設けられ、前記複数の遮蔽プレートを収納する収納部と、前記ガイドレール近傍に設けられ、該収納部に収納された前記遮蔽プレートを前記ガイドレールに沿って順次前進又はガイドレール上に位置する遮蔽プレートを順次収納部側に後退させる遮蔽プレート移動保持手段と、前記収納部に設けられ、前記遮蔽プレート移動手段の動きに同期し、収納された遮蔽プレートをガイドレール側に順次移動又はガイドレール側から遮蔽プレートを収納する方向に順次移動させる遮蔽プレート移送収納手段を具備することにある。【選択図】  図１
2007231616.tif 000002
【特許請求の範囲】
【請求項１】
所望部位の両側に配置されるガイドレールと、
該ガイドレールに沿って移動し、前記所望部位を遮蔽する複数の遮蔽プレートと、
前記ガイドレールの一端に設けられ、前記複数の遮蔽プレートを収納する収納部と、
前記ガイドレール近傍に設けられ、該収納部に収納された前記遮蔽プレートを前記ガイドレールに沿って順次前進又はガイドレール上に位置する遮蔽プレートを順次収納部側に後退させる遮蔽プレート移動保持手段と、
前記収納部に設けられ、前記遮蔽プレート移動手段の動きに同期し、収納された遮蔽プレートをガイドレール側に順次移動又はガイドレール側から遮蔽プレートを収納する方向に順次移動させる遮蔽プレート移送収納手段を具備することを特徴とする遮蔽装置。
【請求項２】
前記遮蔽プレート移動保持手段は、前記遮蔽プレートを所定の距離移動させる移動機構と、所定の距離移動した遮蔽プレートをその位置に保持する保持機構とによって構成されることを特徴とする請求項1記載の遮蔽装置。
【請求項３】
前記遮蔽プレート移送収納手段は、前記遮蔽プレートを所定の位置に保持する収納機構と、該収納機構に保持された遮蔽プレートを順次ガイドレール側又はガイドレールから離れた側に移送する移送手段とによって構成されることを特徴とする請求項１又は２記載の遮蔽装置。
【請求項４】
前記収納機構に保持される遮蔽プレートは、前記収納部外部から着脱自在であることを特徴とする請求項３記載の遮蔽装置。
【請求項５】
前記収納部は、前記ガイドレール及び前記遮蔽プレート移動保持手段から構成される遮蔽機構部に対して着脱自在であることを特徴とする請求項１〜４のいずれか一つに記載の遮蔽装置。
【請求項６】
前記遮蔽プレートは、それぞれのガイドレールに摺動自在に噛合する装着片を具備し、前記遮蔽プレート移動保持手段は、該装着片に噛合して前記遮蔽プレートを移動させる移動プレートと、該装着片に噛合して前記遮蔽プレートを所定の位置に保持する保持プレートからなることを特徴とする請求項１〜５のいずれか一つに記載の遮蔽装置。
【請求項７】
前記装着片は、前記遮蔽プレートの両端のそれぞれに少なくとも２つ形成され、前記所定の位置に保持された遮蔽プレートは、前記装着片の一つを支点として回動可能であることを特徴とする請求項６記載の遮蔽装置。
【請求項８】
前記遮蔽プレート移動保持手段及び前記遮蔽プレート移送収納手段は、連結機構を介して連結され、それらを駆動するための動力源は、前記遮蔽部又は収納部のいずれか一方に配置されることを特徴とする請求項５〜７の何れか一つに記載の遮蔽装置。
【発明の詳細な説明】
【技術分野】
【０００１】
この発明は、所望部位、例えば窓等の開口部、壁部前面、天井部前面等の両側に配されるガイドレールと、このガイドレールに沿って移動し前記所望部位を遮蔽する複数の遮蔽プレートとによって少なくとも構成される遮蔽装置に関する。
【背景技術】
【０００２】
従来のブラインド装置は、通常、上下方向に並置された複数のスラットからなるブラインドを上方に配置し、昇降装置の作動によりブラインドを上方から下降させて建物の窓等の開口部を目隠しし、昇降装置の逆作動によりブラインドを上昇させて開口部を開口するように構成されている。
【０００３】
これに対して、特許文献１に開示されるブラインド装置は、一対の縦枠間に互いに上下方向に並置された複数のスラットからなるブラインドと、スラットのそれぞれの長手方向に端部を支持しており、縦枠内に配された折り畳み自在なリンク機構と、リンク機構を介してスラットのそれぞれを傾動させるべく、リンク機構に連結されたチルト機構と、下端部が終端機構を介して縦枠のそれぞれに連結されたリンク機構の上端部を、チルト機構を介して持ち上げてブラインドを閉口位置に配するリンク持ち上げ機構とを具備するものである。これによって、紐状体を手動操作することにより回転体を回転させて長尺体を巻き取り、繰り出し、この長尺対の巻き取り、繰り出しにより、前記リンク機構の上端部を上昇、下降させて、ブラインドによる開口部の閉鎖、開口を行うようになっているものである。
【０００４】
特許文献２に開示される遮蔽装置は、スラットの移動を円滑に行うことを目的としたもので、回転体に掛け回された走行体の走行による回転体の回転で移動される遮蔽体と、遮蔽体側からの回転体の一方の方向への回転を禁止する禁止手段とを具備しており、前記禁止手段が、回転体に設けられていると共に走行対を解除自在に把持する把持手段と、把持手段に把持されつつ回転体の一方の方向への回転に基づいて走行される走行体に回転体と協働して挟圧繰り返し部を形成する挟圧繰り返し手段とを具備するものである。
【０００５】
特許文献３は、ルーバー材同士の間隔を均一に維持しながら、ルーバー材の移動及び間隔の調整を簡便に行え、しかも任意の位置・間隔でルーバー材を連動して回転させて光や風邪の通過量を自由に調整可能としたルーバー装置に関する。したがって、この特許文献１に開示されるルーバー装置は、相対向して配置する2本のレールと、複数のルーバー材と、前後の連結具とを備え、複数のルーバー材は、長手方向の両端面から各々突出したガイド部材により回転自在に且つレール長手方向に移動自在に各々半値するものであり、連結具は、ルーバー材のガイド部材突設位置の前側及び後側に各々配置するものであり且つ取付部材とパンタグラフ部材とからなり、取付部材は、ルーバー材にルーバー材長手方向の軸より軸着した取付片とパンタグラフ部材に対する対向片とを有し且つ各ルーバー材に取り付けるものであり、パンタグラフ部材は、リンク材と、リンク材を伸縮自在に繋ぐ連結軸とからなり且つ連結軸により各対向片に固定したものであり、ルーバー材同士が接近・離間自在であり且つ前後の連結具の相反する方向への相対移動に連動して回転自在である。
【０００６】
特許文献４は、面格子を窓サッシの室内側に設置することにより、面格子が窓の室外側に突出することがないようにすると共に、窓部の外観の美観を保ち、且つ操作が簡単で安全なロック装置を備えた開閉式の面格子を提供する。このため、特許文献４は、窓サッシの室内側に設置される開閉式の面格子であって、面格子の閉時に格子部材の収納部側への移動を阻止するロック装置を備え、ロック装置は、第1の突出部と、第２の突出部とを有するロック部材と、このロック部材の格子部材の移動阻止時に、ロック部材に係合してロック部材の回動を阻止するストッパと、このストッパとロック部材との係合を解除した際に、ロック部材の回動を阻止し、かつ、先端の格子部材の目隠し部と反対側への移動動作によりロック部材の回動阻止を解除する安全ストッパとを備えている。
【特許文献１】特開２００２−２７６２６５号公報
【特許文献２】特開２００４−２９３０５９号公報
【特許文献３】特開２００５−２９９３５１号公報
【特許文献４】特開２００５−２７３３４７号公報
【発明の開示】
【発明が解決しようとする課題】
【０００７】
しかしながら、従来のブラインド装置においては、各スラットがリンク機構や紐等によって固定されているため、個別に交換することが難しい点、個別に動作させることが難しい点、所望により有る部分のみを開口させること若しくは抜くことが難しい点等の問題点があった。
【０００８】
このため、この発明は、上述した問題点を解決することのできる遮蔽装置を提供することにある。
【課題を解決するための手段】
【０００９】
したがって、本発明に係る遮蔽装置は、所望部位の両側に配置されるガイドレールと、該ガイドレールに沿って移動し、前記所望部位を遮蔽する複数の遮蔽プレートと、前記ガイドレールの一端に設けられ、前記複数の遮蔽プレートを収納する収納部と、前記ガイドレール近傍に設けられ、該収納部に収納された前記遮蔽プレートを前記ガイドレールに沿って順次前進又はガイドレール上に位置する遮蔽プレートを順次収納部側に後退させる遮蔽プレート移動保持手段と、前記収納部に設けられ、前記遮蔽プレート移動手段の動きに同期し、収納された遮蔽プレートをガイドレール側に順次移動又はガイドレール側から遮蔽プレートを収納する方向に順次移動させる遮蔽プレート移送収納手段を具備することにある。
【００１０】
また、前記遮蔽プレート移動保持手段は、前記遮蔽プレートを所定の距離移動させる移動機構と、所定の距離移動した遮蔽プレートをその位置に保持する保持機構とによって構成されることが望ましく、前記遮蔽プレート移送収納手段は、前記遮蔽プレートを所定の位置に保持する収納機構と、該収納機構に保持された遮蔽プレートを順次ガイドレール側又はガイドレールから離れた側に移送する移送手段とによって構成されることが望ましい。
【００１１】
さらに、前記収納機構に保持される遮蔽プレートは、前記収納部外部から着脱自在であることが望ましい。これによって、前記収納機構に装着される遮蔽プレートを、所定の間隔を空けて配置することが可能となり、これによって、前記遮蔽プレート移動保持手段によって移動される遮蔽プレートの間隔を調整することが可能となるものである。
【００１２】
また、この発明は、前記収納部は、前記ガイドレール及び前記遮蔽プレート移動保持手段から構成される遮蔽機構部に対して着脱自在であることが望ましい。これによって、必要なときのみに収納部を遮蔽部に装着して遮蔽プレートをガイドレールに沿って移動させることができるものである。
【００１３】
さらに、前記遮蔽プレートは、それぞれのガイドレールに摺動自在に噛合する装着片を具備し、前記遮蔽プレート移動保持手段は、該装着片に噛合して前記遮蔽プレートを移動させる移動プレートと、該装着片に噛合して前記遮蔽プレートを所定の位置に保持する保持プレートからなることが望ましい。さらにまた、前記装着片は、前記遮蔽プレートの両端のそれぞれに少なくとも２つ形成され、前記所定の位置に保持された遮蔽プレートは、前記装着片の一つを支点として回動可能であることであることが望ましい。
【００１４】
また、前記遮蔽プレート移動保持手段及び前記遮蔽プレート移送収納手段は、連結機構を介して連結され、それらを駆動するための動力源は、前記遮蔽部又は収納部のいずれか一方に配置されることが望ましい。
【００１５】
さらにまた、前記搬送手段も前記装着片を保持する複数の保持部を具備したベルト機構で行うこともできる。この場合、該ベルト機構を所定の間隔で移動／停止させる制御手段を具備するものである。
【発明の効果】
【００１６】
上記に示された発明によれば、遮蔽プレートを単独で移動させることができるので、遮蔽プレートを個別に交換することができると共にその交換を簡単に行うことができるという効果を奏する。また、遮蔽プレートを単独で開閉できるので、開口部に複数の遮蔽パターンを適用できるという効果を奏する。さらに、収納部に納める遮蔽プレートの間隔を調整することによって、簡単に所定の位置の遮蔽プレートを削除するような遮蔽パターンを実行できるという効果を奏する。
【発明を実施するための最良の形態】
【００１７】
以下、この発明の実施例について図面により説明する。
【００１８】
本願発明の遮蔽装置１は、図１に示すように、例えば開口部、壁前面、天井前面等の所望部位２の周辺に形成される枠体の対向する辺のそれぞれに設けられるガイドレール３と、該一対のガイドレール３に沿って移動し前記所望部位２を開閉する遮蔽部４と、この遮蔽部４を収納する収納部５からなる。
【００１９】
前記遮蔽部４は、前記ガイドレール３に沿って移動し所定の位置に保持される独立した複数の遮蔽プレート６によって構成される。この遮蔽プレート６は、前記所望部位２に渡る長さ方向と、移動方向に沿った所定の幅を有する幅方向と、前記長さ方向及び前記幅方向のそれぞれに垂直な厚さ方向を有する。前記長さ方向両端部には、前記ガイドレール３に装着される装着部７が設けられる。
【００２０】
また、前記収納部５は、前記ガイドレール３の下方端部に、前記ガイドレール２に対して垂直方向に延出するように設けられ、前記遮蔽プレート６を厚さ方向に着脱自在に収納する。さらに、この収納部５には、前記遮蔽プレート６を前記厚さ方向に搬送する搬送装置が設けられる。
【実施例１】
【００２１】
本発明の実施例１に係る遮蔽装置１において、図１２で示すように、前記遮蔽プレート６の両端に設けられた装着部７は、移動方向に沿って設けられた一対の装着片７Ａ，７Ｂによって構成される。さらに、前記移送収納装置１０は、例えば図２（ａ）〜（ｅ）に示すように、保持プレート１１と移送プレート１２とを具備するものである。通常この保持プレート１１及び移送プレート１２は、図２（ａ）及び図２（ｅ）で示されるように重なった状態となっている。また保持プレート１１には前記装着片７Ａを保持するための固定保持部１１Ａが複数形成され、これらに対応するように移送プレート１２には移送保持部１２Ａが複数形成される。
【００２２】
前記保持プレート１１及び移送プレート１２が図２（ａ）の状態にあるとき、複数の遮蔽プレート６のそれぞれの装着片７Ａが、前記保持プレート１１及び移送プレート１２の固定保持部１１Ａ及び移送保持部１２Ａ上に載置された状態で前記収納部５に保持される。
【００２３】
図２（ａ）で示される状態から、遮蔽プレート６をガイドレール３側に移動させる場合、図２（ｂ）で示すように、前記移送プレート１２が全ての遮蔽プレート６の前記装着片７Ａを保持した状態で前記保持プレート１１の固定保持部１１Ａから持ち上げ、前記ガイドレール３側へ固定保持部１１Ａのひとつ分移動して下降し、図２（ｃ）で示すように、ひとつガイドレール寄りの固定保持部１１Ａに前記装着片７Ａを移動させ、そこから図２（ｄ）に示すように、下方に移動して装着片７Ａを固定保持部１１Ａに預け、図２（ｅ）で示す位置に戻るものである。これによって、遮蔽プレート６を一つガイドレール側に移送できるものである。
【００２４】
また、遮蔽プレート６を収納する場合には、図２（ｅ）で示す状態から反対に動作することによって図２（ａ）で示す状態に移送することができるので、ガイドレール側から一つずつ遮蔽プレート６を回収し収納できるものである。
【００２５】
また、前記ガイドレール３に沿って前記遮蔽プレート６を移動保持させる移動保持装置２０は、例えば図３及び図４に示すように、前記遮蔽プレート６を所定の位置に保持固定する固定プレート２１と、この固定プレート２１による遮蔽プレート６の保持固定が解除されると同時に前記遮蔽プレート６を所定の位置に順次移動させる移動プレート２２とによって構成される。また、図１２に示すように、前記装着片７Ａには、前記移動保持装置２０の固定プレート２１及び移動プレート２２が収納される遮蔽機構部３０に設けられた貫通開口部３３に移動可能に噛合するガイド保持部６０を設けるようにしても良いものである。
【００２６】
具体的に説明すると、図３（ａ）で示すように、遮蔽プレート６を所定位置に上昇させる場合、移動プレート２２がガイドレール３の下方に移動してきた遮蔽プレート６側に移動し、移動プレート２２に形成された保持溝２２Ａ，２２Ｂが遮蔽プレート６の装着片７Ａ，７Ｂのそれぞれに噛合する。これと同時に、固定プレート２１がガイドレール３から離脱する。
【００２７】
そして、図３（ｂ）で示すように、移動プレート２２をガイドレール３に沿って所定の位置まで引き上げて、前記遮蔽プレート６を一つ分上昇させ、図４（ａ）で示すように、固定プレート２１をガイドレール側に移動させて固定プレート２１の固定溝２１Ａ，２１Ｂによって装着片７Ａ，７Ｂをガイドレール３上に保持固定し、前記移動プレート２２を離脱させると同時に、前記収納部５の移送収納装置１０を稼働させてガイドレール３の下方に遮蔽プレート６を移動させ、図４（ｂ）で示すように、前記移動プレート２２を初期位置に降下させるものである。
【００２８】
このような動作を繰り返すことによって遮蔽プレート６を順次ガイドレールに沿って上昇させることができ、所望部位２を遮蔽することができるものである。また、所望部位２を開放する場合には、上述した動作を逆に行うことによって遮蔽プレート６を順次下降させ、前記収納部５へ順次収納させることができるものである。
【００２９】
さらに、所定の位置に保持固定された遮蔽プレート６は、その位置でそれぞれ独立して開閉可能である。このために、例えば図５で示すように、ガイドレール３に形成された開閉溝３Ａに沿って一方の装着片７Ａを他方の装着片７Ｂを中心として回動させることによって、遮蔽プレート６を傾斜させ、前記所望部位２を部分的に開放することができるものである。
【００３０】
以下、他の実施例について説明をするが、上記実施例１と同じ箇所及び同様の効果を奏する箇所には同じ符号を付してその説明を省略する。
【実施例２】
【００３１】
図６に示す本発明の実施例２に係る遮蔽装置１Ａは、前記遮蔽プレート６の移動保持を行うものとしてベルト機構による移動保持装置２０Ａを設けたものである。この実施例２においては、図示しないコントロールユニットによってベルト機構２０Ａを所定の位置に移動／停止させるものである。具体的には、ベルト機構２０Ａのベルト２４に前記装着片７Ａを引っ掛ける引っ掛け片２５を所定の間隔で設け、この引っ掛け片２５によって順次遮蔽プレートの装着片７Ａを引っ掛けて上昇させるものである。
【００３２】
また、図７に示すように、一方の装着片７Ａを中心として前述した実施例１の場合とは逆に他方の装着片７Ｂをガイドレール３に形成された開閉溝３Ｂに沿って移動させ、前記遮蔽プレート６を傾斜させて前記所望部位２を部分的に開放することができるものである。
【００３３】
しかしながら、この実施例２においても、前記引っ掛け片２５によって他方の装着片７Ｂを引っ掛けて持ち上げるようにし、実施例１と同様に、この装着片７Ｂを中心として一方の装着片７Ａを移動させるようにしても良いものである。また、同様の理由から、実施例１においても装着片７Ａを中心として装着片７Ｂを移動するようにしても良いものである。
【実施例３】
【００３４】
図８に示す実施例３は、収納部５に収納される遮蔽プレート６の間隔を所望の状態に空けることによって、順次上昇する遮蔽プレート６の配置に変化を持たせることが可能となることを示したものである。これによって、部分的な所望部位２Ａを形成できるものである。
【実施例４】
【００３５】
図９に示す実施例４は、前記遮蔽プレート６の開放方向をいずれかに選択できるようにしたものである。これによって、開口状態を日射が入りやすい状態又は日射を避ける状態に設定することが可能となるものである。
【実施例５】
【００３６】
図１０で示す実施例５は、前記遮蔽プレート６の代わりに、2枚分の大きさを有する拡大遮蔽プレート６Ａを用いた場合を示すものである。これによって、所望部位２Ａのバリエーションを多くすることができると共に、開口状態を大きくすることもできるものである。
【実施例６】
【００３７】
図１１で示す実施例６は、前記収納部５に代えて、前記ガイドレール３及び前記移動保持装置２０が設けられる遮蔽機構部３０の装着部３２の開口部３１に対して着脱自在な移動収納部５Ａを設けたことを特徴とするものである。この移動収納部５Ａは、例えば移動手段としての車輪１３と、前記遮蔽プレート６を保持する保持部１５と、移動収納部５Ａを移動させるための取手部１４とを少なくとも具備するものである。また、移動収納部５Ａに移動保持装置２０の駆動源を設け、前記保持部１５が前記遮蔽機構部３０に装着されることによって、前記移動保持装置２０が始動するようにしても良いものである。さらに、前記開口部３１の反対側にも開口部を設け、前記移動収納部５Ａが貫通可能な構造とし、前記移動収納部５Ａを押し込みことによって、順次移動保持装置２０に遮蔽プレート６が供給される構成としても良いものである。
【実施例７】
【００３８】
図１３で示す実施例７は、図１２に示される実施例１〜６に係る遮蔽機構部３０の位置を、前記遮蔽プレート６の両端部から、両端部近傍側面へと位置を変更させたものである。この実施例７では、遮蔽機構部３０に設けられる貫通開口部３３に噛合するガイド保持部６０を、前記装着片７Ａに設けることが必要である。これにより、遮蔽プレート６の両端部を所望部位のぎりぎりまで配置することが可能となるものである。
【産業上の利用可能性】
【００３９】
以上の説明した発明は、基本的に窓等を開閉するシャッター装置として利用可能であり、またそれぞれの遮蔽プレートを開閉できることから、ブラインド装置としても有効である。また、開閉間隔を自由に設定できることから、本発明に係る遮蔽装置を複数並列に設置することによって、随時変化する開閉可能な壁部を形成することも可能である。
【００４０】
さらに、防音壁の前面に、反射板としての遮蔽プレートを配置可能することによって、音の反射状態を任意に変更することができる。同様の効果をえるために、反射板又は通常の音を反射する壁面の前面に防音板としての機能を持たせた遮蔽プレートを配置することも可能である。これによって、体育館や、コンサートホール等に設置することによって、体育館をコンサートホールへ、コンサートホールを他の用途へ使用状態を変更することもできるものである。
【００４１】
また、天井板前面に設置することによって、天井板の模様を逐次変更することができるため、その室の用途を多様にすることが可能になる。さらに、温室等に設けることによって日光の入射量を調整することも可能となるものである。
【図面の簡単な説明】
【００４２】
【図１】本発明に係る遮蔽装置の概略構成図である。
【図２】（ａ）〜（ｅ）は、本発明の実施例１に係る遮蔽装置の収納部における搬送装置の動作を示した説明図である。
【図３】（ａ），（ｂ）は、図４と共に本発明の実施例１に係る移動保持装置の動作を説明した説明図である。
【図４】（ａ），（ｂ）は、図３と共に本発明の実施例１に係る移動保持装置の動作を説明した説明図である。
【図５】本発明の実施例１に係る遮蔽プレートの開閉状態を説明した説明図である。
【図６】本発明の実施例２に係る遮蔽装置の説明図である。
【図７】本発明の実施例２に係る遮蔽プレートの開閉状態を説明した説明図である。
【図８】本発明の実施例３に係る遮蔽装置の説明図である。
【図９】本発明の実施例４に係る遮蔽プレートの開閉状態を説明した説明図である。
【図１０】本発明の実施例５に係る遮蔽装置の説明図である。
【図１１】本発明の実施例６に係る遮蔽装置の説明図である。
【図１２】実施例１〜６に係る遮蔽機構部の説明図である。
【図１３】実施例７に係る遮蔽機構部の説明図である。
【符号の説明】
【００４３】
１，１Ａ  遮蔽装置
２  所望部位
３  ガイドレール
３Ａ，３Ｂ  開閉溝
４  遮蔽部
５  収納部
５Ａ  移動収納部
６  遮蔽プレート
７  装着部
７Ａ，７Ｂ  装着片
１０  移送収納装置
１１  保持プレート
１１Ａ  固定保持部
１２  移送プレート
１２Ａ  移送保持部
２０，２０Ａ  移動保持装置
２１  固定プレート
２１Ａ，２１Ｂ  固定溝
２２  移動プレート
２２Ａ，２２Ｂ  保持溝
２４  ベルト
２５  引っ掛け片
３０  遮蔽機構部
３１  開口部
３２  装着部
３３  貫通開口部
６０  ガイド保持部
【図１】
2007231616.tif 000003
【図２】
2007231616.tif 000004
【図３】
2007231616.tif 000005
【図４】
2007231616.tif 000006
【図５】
2007231616.tif 000007
【図６】
2007231616.tif 000008
【図７】
2007231616.tif 000009
【図８】
2007231616.tif 000010
【図９】
2007231616.tif 000011
【図１０】
2007231616.tif 000012
【図１１】
2007231616.tif 000013
【図１２】
2007231616.tif 000014
【図１３】
2007231616.tif 000015